(57)【要約】  本発明は、ブランク材（２ｎ）、詳細には包装材料に加工されるブランク材（２ｎ）の品質を検査する方法を提供し、本方法は、複数のブランク材（２ｎ）を備えるキャリア（１）を供給するステップと、キャリア（１）上の位置に従ってブランク材（２ｎ）の各々を特定して、ブランク材（２ｎ）の各々の走査画像（Ｓｎ）を取得するステップと、走査画像（Ｓｎ）の各々を、画像を取得したブランク材（２ｎ）の特定の位置（ｎ）に関連している基準画像（Ｒｎ）と比較するステップと、この比較に基づいて、ブランク材（２ｎ）のそれぞれを合格とするか又は廃棄するステップと、を含む。さらに、本発明は、品質検査システム（１０）を提供し、本システムは、シート（１）上のブランク材（２ｎ）の画像を走査するためのデジタル画像ユニット（１２）と、ブランク材の各々に関する個別の基準画像を生成するためのユニット（１６）と、個別の基準画像（Ｒｎ）を格納するための記憶装置（１８）と、ブランク材の走査画像（Ｓｎ）をブランク材（２ｎ）に関する個別の基準画像（Ｒｎ）と比較するための比較器（２０）とを備える。【選択図】図２
2019515298.tif 000002
【特許請求の範囲】
【請求項１】
ブランク材（２ｎ）、詳細には包装材料に加工されるブランク材（２ｎ）の品質を検査する方法であって、
複数のブランク材（２ｎ）を備えるキャリア（１）を供給するステップと、
前記キャリア（１）上の位置に従って前記ブランク材（２ｎ）の各々を特定して、前記ブランク材（２ｎ）の各々の走査画像（Ｓｎ）を取得するステップと、
前記走査画像（Ｓｎ）の各々を、前記画像を取得した前記ブランク材（２ｎ）の特定の位置（ｎ）に関連している基準画像（Ｒｎ）と比較するステップと、
前記比較に基づいて、前記ブランク材（２ｎ）のそれぞれを合格とするか又は廃棄するステップと、を含む
ことを特徴とする方法。
【請求項２】
前記キャリア（１）上のブランク材（２ｎ）の位置を示すマークは、前記ブランク材（２ｎ）の各々に関連している、
請求項１に記載の方法。
【請求項３】
予備基準画像は、印刷データに基づく、
請求項１又は２に記載の方法。
【請求項４】
前記基準画像（Ｒｎ）は、学習フェーズにおいて、良好な品質を有する生成されたブランク材（２ｎ）の複数の走査画像（Ｓｎ）を重ね合わせることで生成される、
請求項１又は２に記載の方法。
【請求項５】
前記ブランク材（２ｎ）が、前記基準画像（Ｒｎ）を作成するのに使用するための品質を有するか否かの決定は、マスターとしてｐｄｆファイルを使用することで行われる、
請求項４に記載の方法。
【請求項６】
前記ブランク材（２ｎ）が、前記基準画像（Ｒｎ）を作成するのに使用するための品質を有するか否かの決定は、印刷されたブランク材であるマスターを利用して行われる、
請求項４に記載の方法。
【請求項７】
前記学習フェーズは、間隔を置いて繰り返される、
請求項４ないし６のいずれか１項に記載の方法。
【請求項８】
前記比較結果は、前記ブランク材の製作における問題を特定するために使用される、
請求項１ないし７のいずれか１項に記載の方法。
【請求項９】
前記ブランク材（２ｎ）は、印刷区域を備える、
請求項１ないし８のいずれか１項に記載の方法。
【請求項１０】
前記ブランク材（２ｎ）は、ホログラム（６）を備える、
請求項１ないし９のいずれか１項に記載の方法。
【請求項１１】
前記ブランク材（２ｎ）は、エンボス加工部を備える、
請求項１ないし１０のいずれか１項に記載の方法。
【請求項１２】
前記ブランク材は、折り縁（３）を備える、
請求項１ないし１１のいずれか１項に記載の方法。
【請求項１３】
シート（１）上のブランク材（２ｎ）の画像を走査するためのデジタル画像ユニット（１２）と、前記ブランク材の各々に関する個別の基準画像を生成するためのユニット（１６）と、前記個別の基準画像（Ｒｎ）を格納するための記憶装置（１８）と、前記ブランク材の走査画像（Ｓｎ）を前記ブランク材（２ｎ）に関する前記個別の基準画像（Ｒｎ）と比較するための比較器（２０）と、を備える、
ことを特徴とする品質検査システム（１０）。
【発明の詳細な説明】
【技術分野】
【０００１】
本発明は、ブランク材、詳細には箱又は袋などの包装材料に加工されるブランク材の品質を検査する方法、及び品質検査システムに関する。
【背景技術】
【０００２】
商品を包装するための包装材料は、ブランク材で作られており、ブランク材は最初に印刷され、その後、例えば箱に加工される。以下では箱に言及するが、本発明は包装材料の他の形態にも関連している。
【０００３】
一般に、複数のブランク材は、キャリア（箱を構成する材料シート又はウェブ、例えば段ボール又は紙）上に印刷が行われる。以下において、用語「シート」は、参照を容易にするために使用されるが、この用語はウェブの形態のキャリアも包含することに留意されたい。
【０００４】
印刷後、ブランク材は、シートから切断されて加工ステーションに供給され、加工ステーションで折り畳まれ、接着され、または所望の箱を得るために他の方法で加工される。
【０００５】
シート上のブランク材に印刷するプロセスは、従来の印刷のみならず、フォイル及び／又はホログラムの適用、エンボス加工、折り目加工、折り縁及び／又は切り込みの製作を含むことができる。これらの全てのステップは、何らかの変動及び許容誤差を不規則に生じさせ、これは種々の印刷特徴部を相互に位置合わせする精度に影響与えることになる（例えば、ホログラムの縁を折り縁に位置合わせする精度、又は付加されたフォイルをエンボス部に位置合わせする精度）。特定の印刷特徴部のサイズ及び隣接する特徴部に対する近接度に応じて、場合によっては０．１ｍｍよりも小さいオフセットでも消費者にははっきりと見える可能性がある。さらに、オフセットは印刷機の運転中に変化しうることに留意されたい。その結果、完全に調整された印刷機によってもたらされるブランク材の品質は、経時的に変わる可能性がある。
【０００６】
印刷されたシートと比較される基準画像（ゴールデンテンプレートと呼ばれる場合もある）を利用する検査システムを使用することが知られている。ゴールデンテンプレートと印刷されたシートとの差分が所定の閾値よりも小さい場合、シートの品質は良好と見なされ、それぞれのシートのブランク材は、箱に加工される。ゴールデンテンプレートと印刷されたシートとの差分が所定の閾値よりも大きい場合、シートの品質は不良と見なされ、シートは廃棄される。
【０００７】
ゴールデンテンプレートは、印刷データに基づいて、ブランク材を含むシートの理論的画像を表すｐｄｆ画像として形成される。代替案として、ゴールデンテンプレートは、オペレータが十分な品質であると判断した、印刷されたブランク材を含む複数のシートを重ね合わせることで形成することができる。
【０００８】
公知の検査システムは、一般に不十分な品質のブランク材を持つシートを特定するのに非常に有用であるが、シートが間違って合格になる又は不合格になる状況があることが分かっている。
【発明の概要】
【発明が解決しようとする課題】
【０００９】
本発明の目的は、十分な品質と不十分な品質との間の決定を行う精度を改善することである。
【課題を解決するための手段】
【００１０】
この目的を解決するために、本発明は、ブランク材、詳細には包装材料に加工されるブランク材の品質を検査する方法を提供し、本方法は、以下のステップを含む。複数のブランク材を備えるキャリア（１）を供給する。次に、キャリア上の位置に従ってブランク材の各々を特定して、ブランク材の各々の走査画像を取得する。走査画像の各々を、画像を取得したブランク材の特定の位置に関連している基準画像と比較する。この比較に基づいて、ブランク材のそれぞれを合格とするか又は廃棄する。さらに、本発明は品質検査システムを提供し、本システムは、シート上のブランク材の画像を走査するためのデジタル画像ユニットと、ブランク材の各々に関する個別の基準画像を生成するためのユニットと、個別の基準画像を格納するための記憶装置と、ブランク材の走査画像をブランク材に関する個別の基準画像と比較するための比較器と、を備える。
【００１１】
本発明は、シート上の個々のブランク材をそれ自体の専用基準画像と比較するという考え方に基づいている。この考え方は、ブランク材に関する許容誤差又はプロセス変動は同一ではなく、シート上のブランク材の様々な位置で相違するという認識に基づいている。シート上のブランク材の各位置に対して個別の専用基準画像（ゴールデンテンプレート）を使用することで、従来の検査手法に関連する問題、すなわち完全なシートを走査してゴールデンテンプレートを生成することに起因する感度損失を回避する。そうすることによって、従来技術のゴールデンテンプレートでは、プロセス間の見当合わせ変動（ｒｅｇｉｓｔｅｒ  ｖａｒｉａｔｉｏｎ）と、エンボス加工部の有無を問わず１枚のシート上の全てのブランク材に関する印刷物及び／又はフォイルの輪郭の品質管理劣化とが重畳している。
【００１２】
対照的に、基準画像がシート上のブランク材の各位置に関してそれぞれ生成される場合、ブランク材のそれぞれの位置に関して生じる変動だけが、特定の基準画像に影響を与えるが、シート上の他の位置でのブランク材に関して生じる変動は、この特定の基準画像に影響を与えることはない。これは以下の複数の利点につながる。すなわち、
−限定されるものではないが、可変印刷区域、ホログラム、エンボス加工部、折り目、及び印刷物などの情報提供及び／又は装飾的デザインの間のブランク材間の見当合わせ変動は、基準画像に影響を与えない。これにより、プロセスに対する印刷（ｐｒｉｎｔ−ｔｏ−ｐｒｏｃｅｓｓ）の見当合わせの何らかの偏差の精密な測定が可能になる。
−スタンピングフォイル、エンボス加工部、及び折り目の形状品質分析における良好な鮮明さがもたらされる。
−小さな妨害又はスタンピングからのネガティブテキスト印刷の文字落ちの決定が可能になる。
−可変印刷の制御及び分析が可能になる。
外部要求に応じて、品質検査はオンラインで又はオフラインで行うことができる。
【００１３】
検査システムによって、シート上の種々のブランク材をそれらのシート上の位置に基づいて自動的に簡単に特定することができる。しかしながら、好ましくは、キャリア上のブランク材の位置を示すマークは各ブランク材に関連している。換言すると、番号又は文字が各ブランク材の近くに印刷される。これによって、オペレータは、何らかのアクションを取ることになるシート上のブランク材を非常に簡単に特定することができる。
【００１４】
好ましくは、基準画像は、学習フェーズにおいて、十分な品質を有する生成されたブランク材の複数の走査画像を重ね合わせることで生成される。従って、シート上の特定のブランク材の各々に関して生成された基準画像が、本質的にこの位置のみに関連した許容誤差及び変動を有し、結果的にシート上のブランク材の各位置に特異な基準画像を生成することが保証される。
【００１５】
本発明の他の実施形態によれば、予備基準画像（マスター）は、印刷データに基づいている。換言すると、予備基準画像は、印刷プロセスで使用される画像データに対応する。従って、予備基準画像は、必然的に印刷プロセスに関連する何らかの許容誤差及び変動を有していない印刷されたブランク材の画像である。このタイプの基準画像は、特に、検査システムがシート上のブランク材の各位置に個別化した基準画像を生成するために画像データを収集する初期の学習ステップで使用することができる。
【００１６】
別の方法として、オペレータは、個別の基準画像を生成するためにどのブランク材を使用するかを決定する。これにより、ブランク材の色が意図された色に対応するか否かを決定することができる。
好ましくは、学習フェーズは、間隔を置いて繰り返される。印刷プロセス中に発生する許容誤差及び変動がブランク材の製作中に変化するという事実に照らすと、基準画像を適宜「アップデート」することは好都合である。
【００１７】
本発明の実施形態によれば、比較結果は、統計的評価ために及び／又はブランク材の製作での問題を特定するために利用される。従って、検査システムは、オペレータが適切に介入できるように、印刷品質が平均を下回っている特定のブランク材があるか否かを監視することができる。
【００１８】
ブランク材は、印刷区域、ホログラム、エンボス加工部及び／又は折り縁などの様々な印刷特徴部を備えることができる。検査システム及び検査方法によって、これらの特徴部が互いに正しく整列しているか否かを詳細に評価することができる。
【００１９】
本発明は、以下に添付図面を参照して説明される。
【図面の簡単な説明】
【００２０】
【図１】本発明による検査方法を実行するための本発明による品質検査システムを概略的に示す。
【図２】複数の印刷されたブランク材を備えるシートの上面図を概略的に示す。
【図３】シート上の第１の位置上のブランク材のための印刷された例示的な特徴部の走査画像を重ね合わせ様式で概略的に示す。
【図４】シート上の第１の位置上のブランク材のための基準画像を概略的に示す。
【図５】シート上の第２の位置上のブランク材のための印刷された例示的な特徴部の走査画像を重ね合わせ様式で概略的に示す。
【図６】シート上の第２の位置上のブランク材のための基準画像を概略的に示す。
【発明を実施するための形態】
【００２１】
図１において、印刷されたキャリア又はシート１が示されており、シートは概略的に示されている品質検査システム１０に供給される。
印刷されたシート１は、包装材料に加工されることになる複数のブランク材２を備える。本明細書では箱であるが、袋又は他の商品とすることもできる。シート１は、加工されることになる箱の材料から、例えば段ボール、紙、又は類似の適切な材料から形成される。
【００２２】
本明細書ではシートは所定の長さを備えるように示されているが、「エンドレス」ウェブとすることもできる。
各ブランク材は、複数の印刷特徴部を備える。「印刷特徴部」は、第１の例では従来の印刷された部分であるが、付加されたフォイル又は付加されたホログラムとすることもできる。さらに、印刷特徴部は、エンボス加工部、折り目加工部、折り縁及び／又は切り込みとすることができる。
【００２３】
例示的に、印刷されたブランク材の各々は、複数の折り縁３、切り込み４、矩形印刷部５、及び該矩形印刷部５に取り付けられた三角形ホログラム６を備える。
ブランク材１の各々は、本明細書では番号である識別符号に関連していることに留意することが重要である。図示の実施形態では、各シート１の上に１２のブランク材２があり、連続して１から１２の番号が付与されている。従って、ブランク材は、ブランク材２1、２2、…２12として示すことができる。
【００２４】
所望の品質の箱を得るために、個々の印刷特徴部が互いに正確に整列することが重要である。これは、互いに非常に接近して配列される印刷特徴部には特に重要である。一例として、印刷部が箱の近接する縁部に対して正しく整列されていないとすると、場合によっては０．１ｍｍの小さな位置合わせ不良であっても消費者には見てわかる。
【００２５】
品質検査システム１０によって、印刷されたブランク材２1、２2、…２12を合格とすることができるか又は印刷部の品質が不十分な場合に廃棄とすべきかを決定することができる。このために、品質検査システム１０は、シート１上のブランク材２1、２2、…２12の画像Ｓｎを走査するためのデジタル画像ユニット１２を備える。デジタル画像ユニット１２は、カメラとすること、詳細にはラインカメラ又は２Ｄカメラ（エリアカメラ）とすることができる。
【００２６】
さらに、品質検査システムは、各ブランク材２のための個別の基準画像Ｒｎを生成するユニット１６、個別の基準画像Ｒｎを記憶するための記憶装置１８、及びブランク材２ｎの走査画像Ｓｎをこのブランク材に関する個別の基準画像と比較するための比較器２０を実装した制御装置１４を備える。
【００２７】
品質検査システム１０をセットアップする第１のステップにおいて、ブランク材の各々に関する予備基準画像（マスター）を記憶装置１８に格納する。この予備基準画像は、印刷データに基づいて取得することができる。例えば、完成した完全なブランク材２の画像を備えたｐｄｆファイルとすることができる。
【００２８】
マスターを取得する別の方法は、機械を稼働して、オペレータが十分な品質と見なした印刷されたブランク材２を走査させる。オペレータが「承認」したマスターを利用する利点は、オペレータが評価を行う際に、色が本来のままである条件で、印刷されたブランク材をマスターとして使用すべきか否かを考慮することができる点である。
【００２９】
品質検査システム１０の重要な特徴は、完全な作動状態において、記憶装置１８がシート１上で見出すことができるブランク材２ｎの各々に関する個別の基準画像Ｒｎを含むことである。従って、図示の実施例において、記憶装置１８は、ブランク材２1、２2、…２12のための１２の基準画像Ｒ1、Ｒ2、…Ｒ12を含む。
【００３０】
これらの個別の基準画像Ｒ1、Ｒ2、…Ｒ12は、システムの学習フェーズにおいて、十分な品質の印刷されたブランク材２1、２2、…２12を有する所定数のシート１を走査すること及び個別のブランク材２1、２2、…２12の走査画像Ｓ1、Ｓ2、…Ｓ12を重ね合わせることで生成される。一例として、識別番号１を持つブランク材２に関する基準画像Ｒ１を生成するために、ブランク材２1の２０の走査画像Ｓ1を重ね合わせ、結果として得られた画像をこのブランク材２1に関する個別の基準画像Ｒ1として記憶装置１８に格納する。同じ方法で、残りのブランク材２2−２12に関する個別の基準画像Ｒ2−Ｒ12を生成して格納する。
【００３１】
図３は、ブランク材２1の３つの走査画像の一部、すなわち図２の三角形ホログラム６を含む部分を概略的に示す。実線で示す第１の画像は、「完全な」位置のホログラム６を表し、破線で示す第２の画像は、右に変位したホログラム６を示し、一点鎖線で示す第３の画像は、反時計方向に回転したホログラム６を表す。
【００３２】
図４は、ブランク材２1に関して図３の走査画像を重ね合わせて記憶装置１８に格納した例示的な基準画像Ｒ1を示す。三角形の外線の間のマーク付けされた領域は、システムのオンラインの品質検査工程時に、比較器２０がこの特定のブランク材を合格にするとの結論に達するために、供給されたシート１上の印刷されたブランク材２1の走査ホログラムの輪郭がその中にあるべき領域を示す。検査したブランク材２1のホログラムの輪郭がマーク付けされた領域の外側にあれば、比較器２０は、この特定のブランク材２1を不十分な品質として分類し、これは廃棄される。
【００３３】
図５は、図４に類似した図であるが、ブランク材２11に関する図である。ここではホログラム６の位置の変動が、ブランク材２1に見られる変動とは異なっていることが分かる。詳細には、ブランク材２11上に印刷されたホログラムは、理論的な「完全な」位置に対して回転しておらず、僅かに変位しただけである。
その結果、図６に示す走査画像２11を重ね合わせることで生成された基準画像Ｒ11は、図４に示す基準画像Ｒ1とは僅かに異なっている。識別番号１１のブランク材２に関して、合格とするために印刷されたブランク材２11のホログラムの輪郭があるべき領域は、ブランク材２1の場合よりも狭い。
【００３４】
品質検査システム１０は、印刷されたブランク材２ｎを合格とするか否かの決定を行う際に、図３から図６を参照して説明した１つだけの特徴部（ホログラムの位置）よりも多くの印刷されたブランク材の詳細情報を考慮することが理解される。個別の基準画像は、ブランク材に施される印刷部の色に関する情報（明度及び色調）、切り込み、折り縁及び／又は折り目の位置に関する情報、特定の特徴部の絶対位置及び／又は１又は２以上の第２の特徴部に対する第１の特徴部の相対位置に関する情報を含むことができる。いずれの場合も、比較器２０で使用される基準画像が、検査されるシート１上に見出すことができるブランク材の各々につき個別のものであることが重要である。
【００３５】
検査システムは、オペレータインタフェースを含み、オペレータは、ある特定のエラーがブランク材の廃棄という結果にならないように入力することができる。このような許容できるエラーの例は、直径０．２ｍｍ未満のインクドットである。
【図１】
2019515298.tif 000003
【図２】
2019515298.tif 000004
【図３】
2019515298.tif 000005
【図４】
2019515298.tif 000006
【図５】
2019515298.tif 000007
【図６】
2019515298.tif 000008
【国際調査報告】
2019515298.tif 000009
2019515298.tif 000010
2019515298.tif 000011